(57)【特許請求の範囲】
【請求項１】
データの転送時に広告をユーザに報知するユーザ側機器と、前記ユーザ側機器に広告を配信する広告サーバ側機器と、データを前記ユーザ側機器に配信するデータサーバ側機器と、を通信回線を介して接続して構成される広告報知システムにおいて、
前記ユーザ側機器は、前記データサーバ側機器との間でデータを転送する時に、前記広告を中断しないように再生できる転送速度を前記広告に割り当て、
前記広告サーバ側機器は，前記広告に割り当てられた転送速度で前記広告の転送を開始し，
前記ユーザ側機器は，前記広告サーバ側機器が配信する広告を再生すると共に、
前記ユーザ側機器は，通信回線の現在の転送速度を検出し，前記データのサイズを検出し，前記広告を最後まで再生するのに必要な再生時間を算出し，前記検出した通信回線の転送速度，前記データのサイズ及び前記再生時間に基づいて前記データの転送速度を制御し，前記広告の再生が完了するのと同時又はその後にデータの転送が終了するように、前記データを転送する
ことを特徴とする広告報知システム。
【請求項２】
前記ユーザ側機器は、
前記広告の再生が完了しなければ、前記データを消去、前記データを再生、実行しない、あるいは、前記データを復号化しないようにする
または、
前記広告サーバ側機器が配信する広告を再生しながら、前記広告の再生が完了するのと同時又はその後に最後の部分を除いたデータの転送が終了するように、前記データを転送し、前記広告の再生が完了すると、前記データの最後の部分を前記データサーバ側機器が通知するＵＲＬにアクセスして転送するようにする
ことを特徴とする請求項１に記載の広告報知システム。
【請求項３】
前記ユーザ側機器は、
前記ユーザに関する個人履歴情報を格納する個人履歴情報記憶部と、
前記個人履歴情報に基づいて、複数の広告のうちユーザに報知する１つ又は複数の広告を選択する選択部と
をさらに備えたことを特徴とする請求項１に記載の広告報知システム。
【請求項４】
前記個人履歴情報は、ユーザが転送したデータの内容若しくは種類、ユーザに報知した広告、又はユーザの個人属性情報である
ことを特徴とする請求項３に記載の広告報知システム。
【請求項５】
前記選択部は、前記ユーザ側機器の環境に基づいて、複数の広告のうちユーザに報知する１つ又は複数の広告を選択する
ことを特徴とする請求項３又は請求項４に記載の広告報知システム。
【請求項６】
前記通信回線を介して前記データサーバ側機器と前記ユーザ側機器がデータを転送するとき、対話形式により前記ユーザに情報の入力を求める入力要求部と、
前記入力要求部により入力された回答を格納する回答記憶部と
をさらに備えたことを特徴とする請求項１から請求項５のいずれかの項に記載の広告報知システム。
【請求項７】
前記回答記憶部に格納された回答を閲覧するための回答閲覧部
をさらに備えたことを特徴とする請求項６に記載の広告報知システム。
【請求項８】
前記回答記憶部に格納された回答を検索するための検索部
さらに備えたことを特徴とする請求項６に記載の広告報知システム。
【請求項９】
前記通信回線を介して前記データサーバ側機器との間でデータを転送する時に前記ユーザに商品又は役務の販売を行う販売実行部
をさらに備えたことを特徴とする請求項１から請求項８のいずれかの項に記載の広告報知システム。
【請求項１０】
前記通信回線を介して前記データサーバ側機器との間でデータを転送する時に前記ユーザ側機器のウィルスチェック、デフラグ、又は不要なファイルの削除を行う処理部
をさらに備えたことを特徴とする請求項１から請求項９のいずれかの項に記載の広告報知システム。
【請求項１１】
データの転送時に広告をユーザに報知するユーザ側機器と、前記ユーザ側機器に広告を配信する広告サーバ側機器と、データを前記ユーザ側機器に配信するデータサーバ側機器と、を通信回線を介して接続して構成される広告報知システムにおいて、
前記データサーバ側機器との間でデータを転送する時に、前記広告を中断しないように再生できる転送速度を前記広告に割り当てる処理と，
前記広告サーバ側機器が配信する広告を再生する処理と、
通信回線の現在の転送速度を検出し，前記データのサイズを検出し，前記広告を最後まで再生するのに必要な再生時間を算出し，前記検出した通信回線の転送速度，前記データのサイズ及び前記再生時間に基づいて前記データの転送速度を制御し，前記広告の再生が完了するのと同時又はその後にデータの転送が終了するように、前記データを転送する処理と，
を実行させるためのプログラム。
【請求項１２】
前記ユーザ側機器に、
前記広告の再生が完了しなければ、前記データを消去、前記データを再生、実行しない、あるいは、前記データを復号化しないようにする処理
または、
前記サーバが配信する広告を再生しながら、前記広告の再生が完了するのと同時又はその後に最後の部分を除いたデータの転送が終了するように、前記データを転送し、前記広告の再生が完了すると、前記データの最後の部分を前記データサーバ側機器が通知するＵＲＬにアクセスして転送する処理
をさらに実行させるための請求項１１に記載のプログラム。
【請求項１３】
前記ユーザ側機器に、
個人履歴情報記憶部に格納された前記ユーザに関する個人履歴情報に基づいて、複数の広告のうちユーザに報知する１つ又は複数の広告を選択する処理
をさらに実行させるための請求項１１に記載のプログラム。
【請求項１４】
前記個人履歴情報は、ユーザが転送したデータの内容若しくは種類、ユーザに報知した広告、又はユーザの個人属性情報である
ことを特徴とする請求項１３に記載のプログラム。
【請求項１５】
前記ユーザ側機器の環境に基づいて、複数の広告のうちユーザに報知する１つ又は複数の広告を選択する処理
をさらに実行させるための請求項１３又は請求項１４に記載のプログラム。
【請求項１６】
前記通信回線を介して前記データサーバ側機器と前記ユーザ側機器がデータを転送するとき、対話形式により前記ユーザに情報の入力を求める処理と、
前記入力された回答を回答記憶部に格納する処理と
をさらに実行させるための請求項１１から請求項１５のいずれかの項に記載のプログラム。
【請求項１７】
前記回答記憶部に格納された回答を閲覧するための回答閲覧処理
をさらに実行させるための請求項１６に記載のプログラム。
【請求項１８】
前記回答記憶部に格納された回答を検索するための検索処理
さらに実行させるための請求項１７に記載のプログラム。
【請求項１９】
前記通信回線を介して前記データサーバ側機器との間でデータを転送する時に前記ユーザに商品又は役務の販売を行う販売実行処理
をさらに実行させるための請求項１１から請求項１８のいずれかの項に記載のプログラム。
【請求項２０】
前記通信回線を介して前記データサーバ側機器との間でデータを転送する時に前記ユーザ側機器のウィルスチェック、デフラグ、又は不要なファイルの削除を行う処理をさらに実行させるための請求項１１から請求項１９のいずれかの項に記載のプログラム。
【請求項２１】
データの転送時に広告をユーザに報知するユーザ側機器と、前記ユーザ側機器に広告を配信する広告サーバ側機器と、データを前記ユーザ側機器に配信するデータサーバ側機器と、を通信回線を介して接続して構成される広告報知システムにおいて、
前記ユーザ側機器は、前記データサーバ側機器との間でデータを転送する時に、前記広告を中断しないように再生できる転送速度を前記広告に割り当て、
前記広告サーバ側機器は，前記広告に割り当てられた転送速度で前記広告の転送を開始し，
前記ユーザ側機器は，前記広告サーバ側機器が配信する広告を再生すると共に、
前記ユーザ側機器は，通信回線の現在の転送速度を検出し，前記データのサイズを検出し，前記広告を最後まで再生するのに必要な再生時間を算出し，前記検出した通信回線の転送速度，前記データのサイズ及び前記再生時間に基づいて前記データの転送速度を制御し，前記広告の再生が完了するのと同時又はその後にデータの転送が終了するように、前記データを転送する
ことを特徴とする広告報知方法。
【請求項２２】
前記ユーザ側機器は、
前記広告の再生が完了しなければ、前記データを消去、前記データを再生、実行しない、あるいは、前記データを復号化しないようにする
または、
前記広告サーバ側機器が配信する広告を再生しながら、前記広告の再生が完了するのと同時又はその後に最後の部分を除いたデータの転送が終了するように、前記データを転送し、前記広告の再生が完了すると、前記データの最後の部分を前記データサーバ側機器が通知するＵＲＬにアクセスして転送するようにする
ことを特徴とする請求項２１に記載の広告報知方法。
【請求項２３】
前記ユーザ側機器は、
個人履歴情報記憶部に格納する前記ユーザに関する個人履歴情報に基づいて、複数の広告のうちユーザに報知する１つ又は複数の広告を選択する
ことを特徴とする請求項２１に記載の広告報知方法。
【請求項２４】
前記個人履歴情報は、ユーザが転送したデータの内容若しくは種類、ユーザに報知した広告、又はユーザの個人属性情報である
ことを特徴とする請求項２３に記載の広告報知方法。
【請求項２５】
前記ユーザ側機器の環境に基づいて、複数の広告のうちユーザに報知する１つ又は複数の広告を選択する
ことを特徴とする請求項２３又は請求項２４に記載の広告報知方法。
【請求項２６】
前記通信回線を介して前記データサーバ側機器と前記ユーザ側機器がデータを転送するとき、対話形式により前記ユーザに情報の入力を求め、
前記入力された回答を回答記憶部に格納する
ことを特徴とする請求項２３から請求項２５のいずれかの項に記載の広告報知方法。
【請求項２７】
前記回答記憶部に格納された回答を閲覧する
ことを特徴とする請求項２６に記載の広告報知方法。
【請求項２８】
前記回答記憶部に格納された回答を検索する
ことを特徴とする請求項２６に記載の広告報知方法。
【請求項２９】
前記通信回線を介して前記データサーバ側機器との間でデータを転送する時に前記ユーザに商品又は役務の販売を行う
ことを特徴とする請求項２３から請求項２８のいずれかの項に記載の広告報知方法。
【請求項３０】
前記通信回線を介して前記データサーバ側機器との間でデータを転送する時に前記ユーザ側機器のウィルスチェック、デフラグ、又は不要なファイルの削除を行う
ことを特徴とする請求項２３から請求項２９のいずれかの項に記載の広告報知方法。
【発明の詳細な説明】
技術分野
本発明は、ネットワーク（例えば、インターネット）を利用するユーザに広告を行う広告報知システムに関し、特にユーザが目標データの配信を要求する際に広告を行うネットワークによる広告報知システムに関する。
背景技術
従来、インターネットによる広告報知システムは、バナー広告、電子メール広告、記事広告等のインターネット上の広告方法が存在する。
前記バナー広告を用いた従来のインターネットによる広告報知システムは、図５に示すようにウェブページの一部を広告専用のスペースとして予め確保し、このスペースに画像を掲載して行う構成である。このウェブページが、例えばインターネットのサーチエンジン等として機能するページである場合には、前記スペースに画像ファイルの一部が表示され、この表示をクリックすると関連データのインターネットにネットワーク接続され、この広告に関連する内容をインターネットを介して読出すことができることとなる。
このインターネットのページ上に広告を行う従来のインターネットによる広告報知システムとしては特願平１０−１０２３２９号公報に開示されるものがあり、この従来のインターネットによる広告報知システムは、リクエストされたページをロードする間に見るようにパソコンの前にいるユーザに対して広告等を提供する。この広告等は、いかなる形態であってもよいが、１つの形態としては、アニメ式広告がある。アニメ式広告の場合は、広告自体を表示するのにかかる時間よりもはるかに短時間でダウンロードされ得る。こうして広告がダウンロードし終えた時点と放映し終わる時点の間にはネットワークが広告等の配信に使用されていないことから、このネットワークをリクエスト対象のページをダウンロードするのに使用することができることとなる。当然のことながらネットワークがリクエスト対象のページのソースに比べてはるかに高速である場合、このような遅延はさほど問題とならない。
また、インターネットを用いないパソコン上で広告を行う従来の広告方法を図６に基づいて説明する。同図において単一のパソコンでの広告方法は、ユーザがキーボード５１０を操作してＣＰＵ５２０の制御演算部５２１に所定の演算動作を実行させようとする場合に、この演算動作を実行するプログムのソフトウェアを外部メモリ５３０から読出してＣＰＵ５２０の内部メモリ５２２にダウンロードし、このダウンロードの際に前記ソフトウェアと一体に格納されている広告が表示部５４０に表示されることにより行われる。
従来のインターネットによる広告報知システムは以上のように構成されていたことから、インターネットを介して目標データをユーザ側のパソコンにダウンロードする際に広告をパソコンの表示部に表示するものが存在せず、目標データのダウンロード時間を有効に活用できなかった。インターネットにネットワーク接続されたユーザを対象として広告を行う場合に、このユーザが本来求めているデータ又は商品（サービスも含む）に関する広告を提供することができないという課題を有する。特に、前記従来の各インターネットによる広告報知システムは、予め定められた広告内容を画一的に行っていたことから、ユーザがインターネットを介してデータの配信を要求する時点における各ユーザにアピールできる最適な広告を選択して実行できなかった。
発明の開示
本発明は、前記課題を解消するためになされたもので、ネットワークを介して配信される目標データのダウンロード時間を活用してユーザに特にアピールする広告を表示することができる広告報知システムを提供することを目的とする。
上記目的を達成するため、本発明のうち第１の発明は、ネットワーク（１）と、前記ネットワークに接続されたサーバ（３０）と、前記ネットワークを介して前記サーバとの間でデータを転送する時に広告をユーザに報知するユーザ側機器（１０１）と、からなることを特徴とする。
本発明の第２の発明は、前記広告を前記ユーザ側機器に配信するサーバ（２０）をさらに備えたことを特徴とする。
本発明の第３の発明は、前記ユーザ側機器は動画による前記広告を再生する動画広告再生部（ステップ１５，２６、４０，５６，６６，８６）を備えていることを特徴とする。
本発明の第４の発明は、前記ユーザ側機器のユーザに関する個人履歴情報を格納する個人履歴情報記憶部（２２、又はステップ３５、５５Ｃ、６５Ｃ）を備えたことを特徴とする。
本発明の第５の発明は、前記個人履歴情報に基づいて、複数の広告のうちユーザに報知する１つ又は複数の広告を選択する選択部（ステップ３７）を備えたことを特徴とする。
本発明の第６の発明は、前記個人履歴情報は、ユーザが転送したデータの内容若しくは種類、ユーザに報知した広告、又はユーザの個人属性情報であることを特徴とする。
本発明の第７の発明は、前記ユーザ側機器の環境に基づいて、複数の広告のうちユーザに報知する１つ又は複数の広告を選択する選択部を備えたことを特徴とする。
本発明の第８の発明は、前記ユーザに広告の報知が完了した後、又はユーザが所定の設定を行ったとき、前記ユーザ側機器に転送されたデータを実行又は開くデータ処理部（ステップ１７）を備えることを特徴とする。
本発明の第９の発明は、前記ユーザ側機器は前記ネットワークを介して前記サーバからデータをダウンロードする時に広告をユーザに報知することを特徴とする。
本発明の第１０の発明は、前記ユーザ側機器は前記ネットワークを介して前記サーバからデータとこのデータを利用するために必要なソフトウェアをダウンロードすることを特徴とする。
本発明の第１１の発明は、前記ユーザ側機器は前記ネットワークを介して前記サーバからデータをアップロードする時に広告をユーザに報知することを特徴とする。
本発明の第１２の発明は、前記ネットワークを介して前記サーバと前記ユーザ側機器がデータを転送するとき、対話形式により前記ユーザに情報の入力を求める入力要求部（ステップ３４，５５Ｂ，６５Ｂ）と、前記入力要求部により入力された回答を格納する回答記憶部（広告側サーバのデータベース２２、又はステップ３５、５５Ｃ、６５Ｃ）と、をさらに備えたことを特徴とする。
本発明の第１３の発明は、前記回答記憶部に格納された回答を閲覧するための回答閲覧部（広告側サーバのＣＰＵ２１）を備えたことを特徴とする。
本発明の第１４の発明は、前記回答記憶部に格納された回答を検索するための検索部（広告側サーバのＣＰＵ２１）を備えたことを特徴とする。
本発明の第１５の発明は、前記ネットワークを介して前記サーバとの間でデータを転送する時に前記ユーザに商品又は役務の販売を行う販売実行部（ステップ４５）を備えたことを特徴とする。
本発明の第１６の発明は、前記ネットワークを介して前記サーバとの間でデータを転送する時に前記ユーザ側機器のウィルスのチェック、デフラグ、又は不要なファイルの削除を行う処理部（ステップ７６）を備えたことを特徴とする。
本発明の第１７の発明は、前記ネットワークを介して前記ユーザ側機器と前記サーバとの間でデータを転送する時に、前記広告の報知状態に基づいて転送速度を調整する（ステップ８４、８８）ことを特徴とする。
本発明の第１８の発明は、前記広告の報知が完了するのと同時又はその後にデータの転送が終了することを特徴とする。
すなわち、本発明に係るネットワークによる広告報知システムは、ネットワークを介してユーザが目標データの配信をデータサーバに要求した場合に、当該目標データがユーザ側へ配信される際又は当該配信される目標データがユーザの記憶手段にダウンロードされる際に広告サーバから提供される広告が前記ユーザ側へ配信され、当該配信された広告をユーザに報知するものである。
このように本発明においては、ユーザからの目標データの配信要求によりデータサーバが目標データをダウンロードする際に、広告サーバから広告がユーザの機器へ配信されてこの機器から広告がユーザに報知されることから、目標データのダウンロード時間を活用して広告を直接ユーザに報知できることとなる。
本発明に係るネットワークによる広告報知システムは必要に応じて、広告サーバから提供される広告が複数存在し、前記ユーザが配信を要求する目標データの内容、種類又はユーザの個人識別データ若しくはユーザの指定に基づいて前記複数の広告のうちの１つ又は複数を選択してユーザに報知するものである。
このように本発明においては、広告サーバが複数の広告を用意し、この複数の広告中からユーザにアピールできる最適な広告を選択して報知するようにしているので、ダウンロード時間を活用してより注目度の高い効果的な広告が可能となる。
本発明に係るネットワークによる広告報知システムは必要に応じて、ユーザが要求した目標データ及び／又は当該目標データが要求された際に報知した広告を当該ユーザの履歴情報として前記データサーバ又は広告サーバが記録するものである。
このように本発明においては、ユーザの過去に要求した目標データ、過去の報知された広告を、このユーザの履歴情報として記憶するようにしているので、新たにユーザが目標データの配信を要求した場合に、履歴情報に基づいてより適切な広告を選択して報知できることとなり、広告効果をより向上させることができる。
本発明に係るネットワークによる広告報知システムは必要に応じて、ユーザへの広告の報知を完了したことを条件として前記ユーザの記憶手段にダウンロードされた目標データを読出すことができるものである。
このように本発明においては、ユーザによる目標データの読出しを、ユーザへの広告の報知が完了したことを条件としていることから、ユーザの広告視聴率を向上させることができることとなり、広告効果を向上させることができる。
本発明に係るネットワークによる広告報知システムは必要に応じて、ユーザに報知される広告が１又は複数の設問からなる対話形式のステップから形成され、当該１又は複数の設問が完了したことを条件として前記ユーザの記億手段にダウンロードされた目標データを読出すことができるものである。このように本発明においては、目標データの配信要求の際に報知される広告が対話形式の複数ステップからなる設問で構成され、この設問の対話完了を条件として目標データの読出しを行うようにしているので、ユーザに広告内容をより明確に認識させることができることとなり、広告効果を高めると共に、広告の商品・サービス等の知識を向上させるこどができる。
この設問形式の広告は、オープン懸賞付きのクイズ形式等とすることにより、ネットワークを介してこのクイズの答えを直接応募させることができる。
本発明に係るネットワークによる広告報知システムは必要に応じて、ユーザに対して広告を報知する際に当該広告に関連する商品又は役務の販売を実行するものである。このように本発明においては、ユーザに広告を報知する際に関連する商品・役務等の販売を実行するようにしたので、広告効果の向上と共に販売促進を図ることができる。
実施例
（本発明の第１の実施形態）
以下、本発明の第１の実施形態に係るネットワーク、例えばインターネットによる広告報知システムをその方法と共に図１及び図２に基づいて説明する。この図１は本実施形態に係るインターネットによる広告報知システムの全体概略構成図、図２は図１に記載されるインターネットによる広告報知システムの動作フローチャートを示す。
前記各図においてインターネットによる広告報知システムは、インターネット１にネットワーク接続される複数のユーザ側端末機器１０１ないし１０ｎと、前記インターネット１にネットワーク接続され、前記複数のユーザ側端末機器１０１ないし１０ｎに広告を配信する広告サーバ側機器２０と、前記インターネット１にネットワーク接続され、前記複数のユーザ側端末機器１０１ないし１０ｎの配信要求に応じてユーザが要求するソフトウェア、各種データ等（以下、目標データ）を配信するデータサーバ側機器３０とを備える構成である。
前記広告サーバ側機器２０は、前記複数のユーザ側端末機器１０１ないし１０ｎから目標データの配信要求があった場合に広告表示動作に関連する各種処理を実行する広告側ＣＰＵ２１と、広告主からの要求により各種の広告内容を広告ファイルとして格納し、前記ユーザの予め登録された個人情報に配信要求毎に新たな個人情報を追加して個人履歴情報とし、この個人履歴情報を履歴情報ファイルとして格納すると共に、広告表示動作に関連する各種処理を制御するＣＭソフトウェア及びこのＣＭソフトウェアにより実行される広告のＣＭファイルを格納する記憶部２２とを備える構成である。前記個人情報は、氏名、年齢、性別、住所、職業、家族構成等を任意に組合わせてなる個人の属性を示す個人属性情報、過去の購買履歴情報、広告の閲覧履歴情報、広告の設問内容情報、設問に対する回答履歴情報等がある。この個人属性情報以外の情報については複数のユーザ側端末機器１０１ないし１０ｎからユーザが目標データの配信要求がなされる毎に、新たな各情報が書込まれた履歴情報としての広告データベースとなる。
次に、前記構成に基づくインターネットによる広告報知システムの広告表示動作について説明する。まず、ユーザＭ１がユーザ側端末機器１０１をインターネット１に接続し、このユーザ側端宋機器１０１を操作してブラウザに基づくＣＰＵ１０１ａの制御により、目標データベースが表現されているホームページをデータサーバ側機器３０に要求する（ステップ１１）。この要求によりデータサーバ側機器３０はホームページを配信してユーザ側端末機器１０１の記億部１０１ｃにダウンロードする（ステップ１２）。
この記憶部１０１ｃに格納されたホームページを表示部１０１ｄに表示し、この表示されたホームページ中に表現されている目標データのリンクをクリックする（ステップ１３）。この目標データのリンクは広告サーバ側機器２０のリンクとして機能する。
この広告サーバ側機器２０へのリンクにより、この広告サーバ側機器２０はＣＭソフトウェアの起動が記述されているホームページを配信し、このＣＭソフトウェアをユーザ側端末機器１０１にダウンロードする（ステップ１４）。このユーザ側端末機器１０１は、ダウンロードされたＣＭソフトウェアに基づいて広告内容が記載されるＣＭコンテンツとしてのＣＭファイルを記億部１０１ｃにダウンロードし、このＣＭファイルを表示部１０１ｄに表示させると共に、このＣＭソフトウェアにより目標データをデータサーバ側機器３０から記憶部１０１ｃにダウンロードする（ステップ１５）。
前記表示部１０１ｄでのＣＭファイルの表示が完了したか否かを判断し（ステップ１６）、表示が完了したと判断された場合には、記億部１０１ｃにダウンロードされた目標データを読出してＣＰＵ１０１ａが実行または表示部１０１ｄに表示させることとなる（ステップ１７）。
また、広告報知中にユーザが所定の操作を行った場合に、目標データを読み出して実行又は表示するようにしてもよい。例えば、ユーザがあらかじめダウンロードした目標データをすぐに実行または表示するような設定をした場合に限り、目標データを実行または表示し、そのような設定をしていない場合は目標データはダウンロードされて格納されるだけで、実行はされないようにすることもできる。
（本発明の第２の実施形態）
本発明はの第２の実施形態に係るネットワーク、例えばインターネットによる広告報知システムをその方法と共に図３に基づいて図１を参照しながら説明する。この第２の実施形態に係るインターネットによる広告報知システムは、前記第１の実施形態に係るインターネットによる広告報知システムと同様なハードウェアの構成であり、広告表示に関連する動作を制御するホームページの内容及びＣＭソフトウェアの制御手順を異にする構成である。
まず、第１の実施形態ソフトウェアと同様に、目標データが表現されているホームページをユーザ側端末機器１０１からデータサーバ側機器３０へ要求し（ステップ２１）、このデータサーバ側機器３０からユーザ側端末機器１０１の記億部１０１ｃへダウンロードされる（ステップ２２）。
このダウンロードされたホームページのうち目標データが表現されているホームページのリンクをクリックし（ステップ２３）、データサーバ側機器３０からＣＭソフトウェアの起動が記述されているホームページをダウンロードする（ステップ２４）。このダウンロードされたホームページの配信要求により広告サーバ側機器２０よりＣＭソフトウェアをダウンロードする（ステップ２５）。
このユーザ側端末機器１０１は、ダウンロードされたＣＭソフトウェアに基づいて広告内容が記載されるＣＭコンテンツとしてのＣＭファイルを記億部１０１ｃにダウンロードし、このＣＭファイルを表示部１０１ｄに表示させると共に、このＣＭソフトウェアにより目標データをデータサーバ側機器３０から記億部１０１ｃにダウンロードする（ステップ２６）。
前記表示部１０１ｄでのＣＭファイルによる広告の表示が完了したか否かを判断し（ステップ２７）、表示が完了したと判断された場合には、記憶部１０１ｃにダウンロードされた目標データを読出してＣＰＵ１０１ａが実行又は表示部１０１ｄに表示させることとなる（ステップ２８）。
（本発明の第３の実施形態）
本発明はの第３の実施形態に係るネットワーク、例えばインターネットによる広告報知システムをその方法と共に図４に基づいて図１を参照しながら説明する。この第３の実施形態に係るインターネットによる広告報知システムは、前記第１の実施形態に係るインターネットによる広告報知システムと同様なハードウェアの構成であり、広告表示に関連する動作を制御するホームページの内容及びＣＭソフトウェアの制御手順を異にする構成である。
まず、前記第１の実施形態システムと同様にインターネット１にネットワーク接続されるユーザ側端末機器１０１からデータサーバ側機器３０に対して目標データが表現されているホームページを要求し、このホームページをユーザ側端末機器１０１の記憶部１０１ｃにダウンロードする（ステップ３１）。このダウンロードされたホームページを表示部１０１ｄに表示して目標データへのリンクをクリックし、広告サーバ側機器２０に対して目標データをダウンロードすることを要求する（ステップ３２）。
この広告サーバ側機器２０は、ユーザ側端末機器１０１に予め登録されて保存された前記個人属性情報（Ｗｏｒｌｄ  Ｗｉｄｅ  Ｗｅｂ：  ＷＷＷにおけるＣｏｏｋｉｅに相当）又は新たに入力された個人属性情報が存在するか否かを判断する（ステップ３３）。この個人属性情報が存在しないと判断された場合には、広告サーバ側機器２０はユーザ側端末機器１０１へ個人属性情報およびパスワードを登録するためのホームページを配信する（ステップ３４）。このホームページにユーザが氏名、年齢、性別、住所、職業、家族構成等の個人属性情報およびパスワードを記入して登録すると、この登録された個人属性情報が広告サーバ側機器２０の記億部２２に個人履歴情報として格納される（ステップ３５）。なお、この個人属性情報の登録が実行されると、この登録された個人属性情報が広告サーバ側機器２０から複数のユーザ側端末機器１０１ないし１０ｎのいずれかへ配信されてユーザ側端末機器１０１ないし１０ｎの対応する記憶部１０１ｃないし１０ｎｃに保存される。なお、登録すべき情報は個人属性情報のみであってもよい。
個人属性情報がユーザ側機器１０１ないし１０ｎに保存されているので、２回目以降再度の個人属性情報の入力は不要となる。したがって、ユーザが後述するステップ４６で商品の購入を希望するときであっても、ユーザ側機器１０１に保存された個人属性情報に基づいてユーザを特定でき、購入に必要な個人情報を入力する手間を省くことができる。
また、ユーザ側機器１０１ないし１０ｎに保存された個人属性情報が消去されていた場合は、２回目以降のアクセスではユーザはパスワードを入力すると、このパスワードが広告サーバ側機器２０に送られ、認証が行われる。パスワードが正しい場合はステップ３６に進む。したがって、ユーザが後述するステップ４６で商品の購入を希望するとき、パスワードの入力のみによってユーザを認証でき、購入に必要な個人情報を入力する手間を省くことができる。
このように新たに個人属性情報が登録され、また個人属性情報が存在すると判断された場合には、この個人属性情報を検索キーとして広告サーバ側機器２０の記億部２２に格納される履歴情報ファイルから、このユーザに関連する過去の購買履歴情報、広告の閲覧履歴情報、広告の設問内容情報、設問に対する回答履歴情報等の各種履歴情報が広告サーバ側機器２０により抽出される（ステップ３６）。
この抽出された各種履歴情報に基づいて広告サーバ側機器２０がこのユーザに提示して表示すべき広告のＣＭファイルを記億部２２に格納された複数のＣＭファイルから選択して決定する（ステップ３７）。ＣＭファイルは、ユーザ側端末機器の環境（例えば、インストールされているソフトウェア、ドライバの種類）に応じて選択する。また、ＣＭファイルはユーザの個人情報、例えばユーザの性別や年齢等に応じて選択する。また、ユーザが複数のＣＭファイルの中から表示すべき一のＣＭファイルを選択できるようにしてもよい。
また、この広告サーバ側機器２０は、ＣＭファイル名及びこのＣＭソフトウェアを起動させる指示が記述されたホームページとをユーザ側端末機器１０１へ配信してダウンロードする（ステップ３８）。さらに、広告サーバ側機器２０からＣＭソフトウェア及びＣＭファイルをユーザ側端末機器１０１に配信してダウンロードする（ステップ３９）。なお、ＣＭソフトウェアがあらかじめユーザ側端末機器１０１にインストールされており、ステップ３９ではＣＭファイルのみをダウンロードしてもよい。
このユーザ側端末機器１０１は、配信されたホームページの起動指示によりダウンロードされたＣＭソフトウェアの制御によりＣＭファイルを再生して表示部１０１ｄに表示させ、またデータサーバ側機器３０から目標データが配信されてダウンロードされる（ステップ４０）。このＣＭソフトウェアの再生表示で設問形式のユーザの応答又はユーザの操作態様を記録する（ステップ４１）。
なお、ステップ４０において、目標データのダウンロード中に、ＣＭソフトウェアがユーザ側端末機器１０１のシステム構成を調査し、このシステム調査に基づいたＣＭファイルを選択して、表示するようにしてもよい。また、ステップ４０において目標データのダウンロード中に、ＣＭソフトウェアがユーザ側端末機器１０１にインストールされているソフトウェアのライセンスをチェックしてもよい。
ステップ４１における設問形式とは、例えばユーザに対するアンケートであってもよい。一例として、ＣＭファイルによって再生される広告に関係する商品に関するアンケートであってもよい。アンケートに対する回答はユーザの応答又は操作態様として記録される。このように本広告システムをアンケート調査に利用することにより、マーケットリサーチ等を容易に行うことができるとともに、はがきによるアンケート調査よりも回答の回収及び集計を短時間かつ低コストで行うことができる。アンケートに対する回答はステップ４８において広告サーバ側機器２０に送信され、履歴ファイルとして記憶部２２に格納される。
前記ステップ４０におけるユーザの操作がＣＭソフトウェアの再生表示中に中断の処理が発生したか否かを判断する（ステップ４２）。この中断処理が発生していないと判断された場合には、ＣＭソフトウェアで表示された商品又はサービスに対してユーザが購買要求が発生したか否かを判断し（ステップ４３）、購買要求が発生したと判断された場合には、この購買要求を広告サーバ側機器２０に送信する（ステップ４４）。この送信された購買要求に基づいて広告サーバ側機器２０は、登録し、購買に関する各種処理を実行する（ステップ４５）。
このようにユーザの個人属性情報が予め登録された状態で広告表示中における購買動作を実行させることにより、ユーザは購買のために別途個人属性情報を入力する必要がなくなり簡易且つ確実な購買動作を実行できる。また、広告サーバ又は広告主側からは広告と同時に購買まで実行できるのでＣＭ効果を直接判断できると共に販売促進が可能となる。
また、この購買において、目標データがＣＡＤ、ＣＡＭ等のソフトウェアであった場合にこのソフトウェアで駆動するプリンタ等の機器の広告となり、このプリンタ等の機器が販売対象となる。また、目標データが音楽ソフトであった場合には、この音楽の歌手又は演奏者等のアーティストの講演が広告となり、この講演チケットが購買の対象となる。
この購買に関する各種処理が実行された後又はステップ４２で購買要求が発生していないと判断された場合には、ＣＭソフトウェアによるＣＭファイルの再生表示を引き続いて実行し、この表示動作が終了するとダウンロード終了を確認してＣＭソフトウェアの実行を終了する（ステップ４６）。
前記ステップ４２においてＣＭソフトウェアのによるＣＭファイル再生を表示中に中断の処理操作がなされたと判断された場合には、ＣＭソフトウェアの制御動作に基づいてＣＰＵ１０１ａが前記ダウンロードされた目標データ（又はダウンロード途中の目標データ）に対して予め設定された消去等の処理を実行する（ステップ４７）。
前記ステップ４６によるＣＭソフトウェアの終了又は前記ステップ４７による目標データの処理をした後は、これまでのユーザが操作し、実行した内容を広告サーバ側機器２０に送信し、この広告サーバ側機器２０により履歴ファイルとして記億部２２に格納される。ユーザの操作内容の送信は目標データのダウンロード直後に行ってもよいし、一定時間経過後にＣＭソフトウェアにより送信してもよい。
なお、ステップ４６において送信された情報にアンケートに対する回答が含まれていた場合には、広告サーバ側機器２０が回答の集計を行う。
なお、広告主は広告サーバ側機器２０にアクセスすることにより、個人属性情報を閲覧することができる。このとき、ＣＭファイル、期間、個人属性情報（性別、年齢、職業等）の各項目によって検索して、必要な個人属性情報のみを閲覧することができる。
履歴ファイルにアンケートに対するユーザの回答が含まれていた場合には、広告主は広告サーバ側機器２０にアクセスすることにより、アンケート回答の集計結果を閲覧することができる。このとき、ＣＭファイル、期間、個人属性情報（性別、年齢、職業等）の各項目によって検索して、必要な個人属性情報やアンケート回答のみを閲覧することができる。
（本発明の第４の実施形態）
なお、前記各実施形態に係るネットワーク、例えばインターネットによる広告報知システムにおいては、広告の報知を表示部に表示する構成としたが、前記広告の報知を音声又はプリントアウトにより行うこともできる。
また、前記各実施形態に係るインターネットによる広告報知システムにおいては、インターネットに複数のユーザ側端末機器１０１ないし１０ｎがネットワーク接続されている場合について説明したが、インターネットから複数のユーザ側端末機器１０１ないし１０ｎのネットワーク接続が解除された後に目標データを実行することもできる。この場合には目標データを実行又は再実行する際にＣＭファイルと一体で再生されて再生の都度にユーザに対して広告動作を実行することができる。
特に、ＣＭソフトウェア（又はＣＭソフト）が複数のユーザ側端末機器１０１ないし１０ｎにダウンロードされる際に複数のＣＭファイルが配信され、目標データを再実行する毎に複数のＣＭファイルを順次変更して再生させることもできる。また、この複数のＣＭファイルが総て再生された場合に、目標データの再実行を不能とすることもでき、また複数のＣＭファイルをサイクリック（又はランダム）に再び再生することもできる。このことはインターネットに複数のユーザ側端末機器１０１ないし１０ｎがネットワーク接続されている場合についても同様である。
複数のＣＭファイルが総て再生された後は目標データの再実行を不能とした場合、ユーザが目標データの実行をするためには再度目標データの配信を要求しなければならない。そして、ユーザから目標データの配信要求が送られると、広告サーバ機器からＣＭファイルのみがダウンロードされる。そして、目標データを再実行するとき、あとからダウンロードされたＣＭファイルが再生される。このとき複数のＣＭファイルをダウンロードして、順次変更して再生してもよいし、同じＣＭファイルを繰り返し再生してもよい。
また、ユーザが目標データをダウンロードした後、ネットワークへの接続を切断すると、アンケートへの回答や個人属性情報を広告サーバ側機器に送信できない場合もありうる。この場合は、次にネットワークに接続したときに、それらの情報を広告側機器２０にアップロードしてもよい。
また、前記各実施形態に係るインターネットによる広告報知システムにおいては、履歴情報に基づいてＣＭファイルの選択を行う構成としたが、この履歴情報に基づいて将来の消費傾向を予測し、この予測したデータを広告主に提示し、販売促進の基礎データとすることもできる。
（本発明の第５の実施形態）
本発明の第５の実施形態に係るネットワーク、例えばインターネットによる広告報知システムをその方法と共に図７に基づいて図１を参照しながら説明する。この第５の実施形態に係るインターネットによる広告報知システムは、前記第１の実施形態に係るインターネットによる広告報知システムと同様なハードウェアの構成であるが、第１の実施形態がＣＭソフトウェアを広告サーバからダウンロードしていたが、この第５の実施形態では広告表示に関連する動作を制御するＣＭソフトウェアがあらかじめユーザ側端末機器１０１にインストールされている場合はＣＭソフトウェアのダウンロードをしない点が異なる。
まず、第１の実施形態ソフトウェアと同様に、目標データが表現されているホームページをユーザ側端末機器１０１からデータサーバ側機器３０へ要求し（ステップ５１）、このデータサーバ側機器３０からユーザ側端末機器１０１の記億部１０１ｃへダウンロードされる（ステップ５２）。
このダウンロードされたホームページのうち目標データが表現されているホームページのリンクをクリックし（ステップ５３）、データサーバ側機器３０からＣＭソフトウェアの起動が記述されているホームページをダウンロードする（ステップ５４）。
ここで、ＣＭソフトウェアの起動の記述に基づいてＣＭソフトウェアがユーザ側端末機器１０１にインストールされているか否かが判断される（ステップ５４Ａ）。ここでＣＭソフトウェアがインストールされていない場合は、このダウンロードされたホームページの配信要求により広告サーバ側機器２０又はデータサーバ側機器３０よりＣＭソフトウェアをダウンロードする（ステップ５５）。
一方、ステップ５４Ａにおいて、ＣＭソフトウェアがインストールされている場合は、ステップ５６に進む。すなわち、ユーザはＣＭソフトウェアをあらかじめ広告サーバ側機器２０又は他のサーバからダウンロードし、ユーザ側端末機器１０１にインストールしてもよい。ＣＭソフトウェアはＣＤ−ＲＯＭ等の他の記録媒体によって提供されるものであってもよい。
次に、広告サーバ側機器２０は、ユーザ側端末機器１０１に予め登録されて保存された前記個人属性情報（Ｗｏｒｌｄ  Ｗｉｄｅ  Ｗｅｂ：  ＷＷＷにおけるＣｏｏｋｉｅに相当）又は新たに入力された個人属性情報が存在するか否かを判断する（ステップ５５Ａ）。この個人属性情報が存在しないと判断された場合には、広告サーバ側機器２０はユーザ側端末機器１０１へ個人属性情報を登録するためのホームページを配信する（ステップ５５Ｂ）。
このホームページにユーザが個人属性情報およびパスワードを記入して登録すると、この登録された個人属性情報およびパスワードが広告サーバ側機器２０の記億部２２に個人履歴情報として格納される（ステップ５５Ｃ）。なお、この個人属性情報の登録が実行されると、この登録された個人属性情報が広告サーバ側機器２０から複数のユーザ側端末機器１０１ないし１０ｎのいずれかへ配信されてユーザ側端末機器１０１ないし１０ｎの対応する記憶部１０１ｃないし１０ｎｃに保存される。
したがって、個人属性情報がユーザ側機器１０１ないし１０ｎに保存されているので、２回目以降再度の入力は不要となる。なお、ユーザ側機器１０１ないし１０ｎに保存された個人属性情報が消去されていた場合は、２回目以降のアクセスではユーザはパスワードを入力すると、このパスワードが広告サーバ側機器２０に送られ、認証が行われる。パスワードが正しい場合はステップ５６に進む。
次に、ユーザ側端末機器１０１は、ＣＭソフトウェアに基づいて広告内容が記載されるＣＭコンテンツとしてのＣＭファイルを記億部１０１ｃにダウンロードし、このＣＭファイルを表示部１０１ｄに表示させると共に、このＣＭソフトウェアにより目標データをデータサーバ側機器３０から記億部１０１ｃにダウンロードする（ステップ５６）。ＣＭファイルの再生は目標データのダウンロード中に行われる。また、必要であれば、目標データと関連付けられたファイル、例えば目標データを利用するためのソフトウェアを併せてダウンロードする。具体的には、ＣＭソフトウェアがユーザ側端末機器の環境を調査し、目標データの種類に応じて必要なソフトウェアを特定し、これを目標データとともにダウンロードする。
また、ステップ５６において、目標データをダウンロードしている間に、ＣＭソフトウェアはユーザ側端末機器１０１のウィルスチェックを行う。これによって、ウィルスチェックを自動的に行うことができ、ユーザ側機器をウィルスから保護することができる。なお、ウィルスチェックは必ずしも行わなくてもよい。また、ウィルスチェックの代わりに、又はウィルスチェックと併せてデフラグ又は／及び不要なファイルの削除を行ってもよい。
ＣＭファイルに基づいて表示部１０１ｄに表示される広告は静止画像でもよいが、動画や音声を利用したものであってもよい。動画及び音声による広告であればダウンロード中のユーザの注意をひきつけることができ、広告の浸透度を高めることができる。
前記表示部１０１ｄでのＣＭファイルによる広告の表示が完了したか否かを判断し（ステップ５７）、表示が完了したと判断された場合には、ユーザ側端末１０１はデータサーバ側機器３０のホームページにアクセスする（ステップ５８）。
このように、第５の実施形態では、ＣＭソフトウェアがユーザ側端末機器１０１にインストールされている場合は、ＣＭソフトウェアのダウンロードが行われないため、ダウンロードに要する時間を短縮することができる。
なお、ステップ５７において広告の表示が終了した場合に、記憶部１０１ｃにダウンロードされた目標データを読出してＣＰＵ１０１ａが実行又は表示部１０１ｄに表示させてもよい。
また、ＣＭファイルはあらかじめユーザ側端末機器に格納されており、目標データのダウンロードが開始されると、このＣＭファイルを再生してもよい。ＣＭファイルを前もってユーザ側端末機器に格納しておくことにより、ダウンロード時間を短縮することができる。
また、本実施の形態では単一の目標データをダウンロードしたが、複数の目標データをダウンロードしてもよい。
また、ＣＭファイルの再生が終了する前に目標データのダウンロードが先に完了した場合、ＣＭファイルの再生が終了するまでの残り時間を利用して、別のデータをダウンロードしてもよい。
具体的には、ＣＭファイルの再生中に、目標データのダウンロードが終了した旨をユーザ側機器で表示し、ユーザに他のファイルのダウンロードが可能であることを報知する。ユーザは広告表示の残り時間を利用して、プログラムのアップグレードファイルやトライアル版をダウンロードすることもできる。
また、目標データのダウンロード中にＣＭファイルの再生だけではなく、ユーザが設定した動作、例えばメールの並び替え、時刻の再設定等の動作を行ってもよい。これによって、目標データのダウンロード時間を有効に活用することができる。
（本発明の第６の実施形態）
本発明の第６の実施形態に係るネットワーク、例えばインターネットによる広告報知システムをその方法と共に図８に基づいて図１を参照しながら説明する。この第６の実施形態に係るインターネットによる広告報知システムは、前記第５の実施形態に係るインターネットによる広告報知システムと同様なハードウェアの構成であり、またその方法はステップ６１からステップ６８までほぼ第５の実施形態と同様である。ただし、第６の実施形態は、ステップ６６において高速ダウンロードおよびパケットスケジューリングによる制御を行っている点が異なる。
ステップ６６において、ユーザ側端末機器１０１は、ＣＭソフトウェアに基づいて広告内容が記載されるＣＭコンテンツとしてのＣＭファイルを記億部１０１ｃに高速ダウンロードし、このＣＭファイルを表示部１０１ｄに表示させると共に、このＣＭソフトウェアにより目標データをデータサーバ側機器３０から記億部１０１ｃに高速ダウンロードする。また、パケットスケジューリングによる制御により、ダウンロードに要する時間とＣＭファイルの再生時間を調整する（ステップ６６）。
パケットスケジューリングによる制御とは、複数のファイルのダウンロード速度を特定の目的を達するように調整することをいい、本発明ではＣＭファイルの再生状況に合わせてＣＭファイル及び目標データのダウンロード速度を最適に制御することをいう。より具体的には、ＣＭファイルを再生しながら目標データのダウンロードを行うとき、ＣＭファイルの再生を中断しないようにするとともに、ＣＭファイルの再生が終了すると同時又はその後に目標データのダウンロードが終了するように、ダウンロード速度を調整する。
図１１に本発明によるパケットスケジューリング制御のフローを示す。
図１１に示すように、まずＣＭソフトウェアは現在の通信回線のデータ転送速度、例えば最高速度、最低速度、平均速度等を求める（ステップ８１）。次に、ＣＭソフトウェアは目標データのファイルサイズを取得し（ステップ８２）、さらにＣＭファイルのファイルサイズを取得する（ステップ８３）。
次に、取得した通信回線の転送速度、目標データのファイルサイズ、およびＣＭファイルのファイルサイズに基づいて、ＣＭファイルの再生およびダウンロードのスケジューリングを行う。具体的には、ＣＭファイルのファイルサイズからこのＣＭファイルを最後まで再生するのに必要な時間を算出し、この必要な再生時間に基づいてダウンロード速度を決定する（ステップ８４）。
次に、ステップ８４で決定されたＣＭファイルに割り当てられたダウンロード速度でＣＭファイルのダウンロードを開始し（ステップ８５）、さらにこのＣＭファイルの再生を開始する（ステップ８６）。なお、本実施の形態では、ＣＭファイルをダウンロードしながら再生しているが、ＣＭファイルのダウンロードが完了した後に、ＣＭファイルの再生を行ってもよい。
また、ステップ８４で決定された目標データに割り当てられたダウンロード速度で目標データのダウンロードを開始する（ステップ８７）。
そして、ＣＭソフトウェアはダウンロードを行いながら、目標データおよびＣＭファイルのダウンロード速度を調整する（ステップ８８）。これによって、ＣＭファイルの再生を中断しないようにするとともに、ＣＭファイルの再生が終了すると同時又はその後に目標データのダウンロードが終了するように調整される。
そして、ＣＭファイルの再生が終了するのと同時またはその後に目標データのダウンロードが終了する（ステップ８９）。
このように、パケットスケジューリングによる制御を行うことにより、ＣＭファイルの再生を最後まで行うことができ、広告が途中で終了することがない。結果として、ユーザは広告を最後まで視聴することになる。したがって、広告を完全な形でユーザに提供することができ、ユーザに対する広告効果を高めることができる。
また、ユーザに広告を最後まで表示させるための手段として、パケットスケジューリング制御に代えて、次のような方法を採用してもよい。
まず、ユーザ側端末機器は目標データをダウンロードを開始するとともに、ＣＭファイルの再生を開始する。このとき、目標データであるファイルの最後の部分（例えば、１バイト）はダウンロードされない。したがって、ＣＭファイルの再生が終了する前にダウンロードが完了した場合であっても、ダウンロードされた目標データは不完全であり、このデータを開いたり又は実行することはできない。
そして、ＣＭファイルの再生が終了すると、ユーザ側端末機器は目標データであるファイルの最後の部分が格納されているＵＲＬを受信する。そして、ユーザ側端末機器はこのＵＲＬにアクセスし、ダウンロードされなかったファイルの最後の部分をダウンロードし、そして先にダウンロードされたデータと結合する。これで、目標データが完全なものとなり、この目標データを実行することができる。
一方、ＣＭファイルの再生がユーザによって又は他の理由により中断されると、ダウンロードされた目標データは不完全なままであり、且つファイルの最後の部分が格納されているＵＲＬも送られてこない。したがって、ユーザは目標データを実行することはできない。
すなわち、ユーザ側機器でＣＭファイルが最後まで再生された場合に限り、ユーザは完全な目標データを入手することができる。したがって、ユーザは広告を最後まで視聴することになる。このように、広告を完全な形でユーザに表示することができ、広告効果を高めることができる。
（本発明の第７の実施形態）
本発明の第７の実施形態に係るネットワークによる情報報知システムについて説明する。
この情報報知システムは、例えば、社内ネットワークシステムに適用され、社内情報を社員に告知するために使用される。また、教育に有益な教材をユーザに報知するために使用される。社内情報や教育教材に限られず、広く必要な情報をユーザに提供するために使用される。
図９においてインターネットによる情報報知システムは、ネットワーク２０１に接続される複数のユーザ側端末機器２０１ないし２１０ｎと、前記ネットワーク２０１にネットワーク接続され、前記複数のユーザ側端末機器２０１ないし２１０ｎに広告を配信する情報提供サーバ側機器２２０と、前記ネットワーク２０１に接続され、前記複数のユーザ側端末機器２０１ないし２１０ｎの配信要求に応じてユーザが要求するソフトウェア、各種データ等（以下、目標データ）を配信するデータサーバ側機器２３０とを備える構成である。
前記情報提供側機器２２０は、前記複数のユーザ側端末機器２０１ないし２１０ｎから目標データの配信要求があった場合に情報表示動作に関連する各種処理を実行する情報提供側ＣＰＵ２２１と、情報提供主からの要求により各種の情報内容を情報ファイルとして格納し、前記ユーザの予め登録された個人情報に配信要求毎に新たな個人情報を追加して個人履歴情報とし、この個人履歴情報を履歴情報ファイルとして格納すると共に、提供情報表示動作に関連する各種処理を制御する情報表示ソフトウェア及びこの情報表示ソフトウェアにより実行される情報ファイルを格納するデータベース２２２とを備える構成である。前記個人情報は、氏名、年齢、性別、住所、職業、家族構成等を任意に組合わせてなる個人の属性を示す個人属性情報、過去の購買履歴情報、広告の閲覧履歴情報、設問内容情報、設問に対する回答履歴情報等がある。この個人属性情報以外の情報については複数のユーザ側端末機器２０１ないし２１０ｎからユーザが目標データの配信要求がなされる毎に、新たな各情報が書込まれた履歴情報としてのデータベースとなる。
次に、この情報報知システムの動作について図１０を参照しながら説明する。
まず、目標データが表現されているホームページをユーザ側端末機器１０１からデータサーバ側機器２３０へ要求し（ステップ７１）、このデータサーバ側機器２３０からユーザ側端末機器２０１の記億部２０１ｃへダウンロードされる（ステップ７２）。
このダウンロードされたホームページのうち目標データが表現されているホームページのリンクをクリックし（ステップ７３）、データサーバ側機器２３０から情報表示ソフトウェアの起動が記述されているホームページをダウンロードする（ステップ７４）。
ここで、情報表示ソフトウェアの起動の記述に基づいて情報表示ソフトウェアがユーザ側端末機器２０１にインストールされているか否かが判断される（ステップ７４Ａ）。ここで情報表示ソフトウェアがインストールされていない場合は、このダウンロードされたホームページの配信要求により情報提供サーバ側機器２２０又はデータサーバ側機器２３０より情報表示ソフトウェアをダウンロードする（ステップ７５）。
一方、ステップ７４Ａにおいて、情報表示ソフトウェアがインストールされている場合は、ステップ７６に進む。すなわち、ユーザは情報表示ソフトウェアをあらかじめ情報提供サーバ側機器２２０又は他のサーバからダウンロードし、ユーザ側端末機器２０１にインストールしてもよい。情報表示ソフトウェアはＣＤ−ＲＯＭ等の他の記録媒体によって提供されるものであってもよい。
次に、情報提供サーバ側機器２２０は、ユーザ側端末機器２０１に予め登録されて保存された前記個人属性情報（Ｗｏｒｌｄ  Ｗｉｄｅ  Ｗｅｂ：  ＷＷＷにおけるＣｏｏｋｉｅに相当）又は新たに入力された個人属性情報が存在するか否かを判断する（ステップ７５Ａ）。この個人属性情報が存在しないと判断された場合には、情報提供サーバ側機器２２０はユーザ側端末機器２０１へ個人属性情報を登録するためのホームページを配信する（ステップ７５Ｂ）。
このホームページにユーザが個人属性情報およびパスワードを記入して登録すると、この登録された個人属性情報およびパスワードが情報提供サーバ側機器２２０の記億部２２２に個人履歴情報として格納される（ステップ７５Ｃ）。なお、この個人属性情報の登録が実行されると、この登録された個人属性情報が情報提供サーバ側機器２２０から複数のユーザ側端末機器２０１ないし２１０ｎのいずれかへ配信されてユーザ側端末機器２０１ないし２１０ｎの対応する記憶部２０１ｃないし２１０ｎｃに保存される。
したがって、個人属性情報がユーザ側機器２０１ないし２１０ｎに保存されているので、２回目以降再度の入力は不要となる。なお、ユーザ側機器２０１ないし２１０ｎに保存された個人属性情報が消去されていた場合は、２回目以降のアクセスではユーザはパスワードを入力すると、このパスワードが情報提供サーバ側機器２２０に送られ、認証が行われる。パスワードが正しい場合はステップ７６に進む。
次に、ユーザ側端末機器２０１は、情報表示ソフトウェアに基づいて提供される情報コンテンツとしての情報ファイルを記億部２０１ｃにダウンロードし、この情報ファイルを表示部２０１ｄに表示させると共に、この情報表示ソフトウェアにより目標データをデータサーバ側機器２３０から記億部２０１ｃにダウンロードする（ステップ７６）。情報ファイルの再生は目標データのダウンロード中に行われる。データの転送は第６の実施形態で利用された高速ダウンロードにより行われる。また、情報表示ソフトウェアは第６の実施形態で使用したパケットスケジューリングによる制御も行う。
また、ステップ７６において、目標データをダウンロードしている間に、情報表示ソフトウェアはユーザ側端末機器２０１のウィルスチェックを行う。これによって、ウィルスチェックを自動的に行うことができ、社内ネットワークをウィルスから保護することができる。なお、ウィルスチェックは必ずしも行わなくてもよい。また、ウィルスチェックの代わりに、又はウィルスチェックと併せて、デフラグ又は／及び不要なファイルの削除を行ってもよい。
情報ファイルに基づいて表示部２０１ｄに表示される広告は静止画像でもよいが、動画や音声を利用したものであってもよい。
前記表示部２０１ｄでの情報ファイルによる広告の表示が完了したか否かを判断し（ステップ７７）、表示が完了したと判断された場合には、ユーザ側端末２０１はデータサーバ側機器２３０のホームページにアクセスする（ステップ７８）。
なお、ステップ７７において広告の表示が終了した場合に、記憶部２０１ｃにダウンロードされた目標データを読出してＣＰＵ２０１ａが実行又は表示部２０１ｄに表示させてもよい。
なお、上述した実施形態のうちインターネット１を利用しているものがあるが、これに限られず、ネットワークであれば例えばＬＡＮ（ローカルエリアネットワーク）やイントラネットも含む。また、専用のサーバーを使うことなく、接続されたコンピュータ同士がコミュニケーションするピアツーピア型接続のネットワークも含む。また、ユーザ側端末機器、広告サーバ側機器、情報提供サーバ側機器、データサーバ側機器の接続の一部又は全部をＵＳＢ，Ｂｌｕｅｔｏｏｔｈ、シリアル接続、ワイヤレス接続等の手段で提供してもよい。
また、上述した実施形態において、データサーバや広告サーバ以外の他の提携サイト、例えば検索エンジンを備えたサイトにリンクを張っておき、この提携サイトのリンクをクリックすることにより、ユーザがデータサーバや広告サーバにアクセスし、広告報知の動作を行ってよい。なお、このとき表示する広告は提携サイトに関するものであってもよい。
また、前記広告報知システムおよび情報報知システムはダウンロード中にＣＭファイル又は情報ファイルを再生するが、データをアップロード中にＣＭファイル又は情報ファイルを再生するものであってもよい。すなわち、ダウンロードであるかアップロードであるかに関係なく、データ転送時にＣＭファイルを再生するものを含む。さらに、データの転送はユーザ側機器の動画再生表示時に表示を優先しデータ量を落して転送するストリーミング方式のデータ転送を含む。またデータの転送は、大量のデータ転送時に一回の表示等所要量に分割して転送するように送信側で一時的にデータのバッファリングをするものを含む。
また、ユーザ側端末機器、広告サーバ側機器、情報提供サーバ側端末、データサーバ側機器はパーソナルコンピュータ、携帯電話、ＰＤＡ、販売店に設置されたネットワーク端末、ネットワークに接続された家庭電化製品、カーナビゲーション等を含む。
産業上の利用可能性
本発明においては、ユーザからの目標データの配信要求によりデータサーバか目標データをダウンロードする際に、広告サーバから広告がユーザの機器へ配信されてこの機器から広告がユーザに報知されることから、目標データのダウンロード時間を活用して広告を直接ユーザに報知できるという効果を奏する。
また、本発明においては、広告サーバか複数の広告を用意し、この複数の広告中からユーザにアピールできる最適な広告を選択して報知するようにしているので、ダウンロード時間を活用してより注目度の高い効果的な広告が可能となるという効果を有する。
また、本発明においては、ユーザの過去に要求した目標データ、過去の報知された広告を、このユーザの履歴情報として記億するようにしているので、新たにユーザが目標データの配信を要求した場合に、履歴情報に基づいてより適切な広告を選択して報知できることとなり、広告効果をより向上させることができるという効果を有する。
また、本発明においては、ユーザによる目標データの読出しを、ユーザへの広告の報知が完了したことを条件としていることから、ユーザの広告視聴率を向上させることかできることとなり、広告効果を向上させることができるという効果を有する。
また、本発明においては、目標データの配信要求の際に報知される広告が対話形式の複数ステップからなる設問で構成され、この設問の対話完了を条件として目標データの読出しを行うようにしているので、ユーザに広告内容をより明確に認識させることができることとなり、広告効果を高めると共に、広告の商品・サービス等の知識を向上させることができるという効果を有する。
この設問形式の広告は、オープン懸賞付きのクイズ形式等とすることにより、インターネットを介してこのクイズの答えを直接応募させることができる。
また、本発明においては、ユーザに広告を報知する際に関連する商品・役務等の販売を実行するようにしたので、広告効果の向上と共に販売促進を図ることができるどいう効果を有する。
【図面の簡単な説明】
図１は、本発明の第１の実施形態に係る広告報知システムの全体概略構成図である。
図２は、図１に記載される広告報知システムの動作フローチャートである。
図３は、本発明の第２の実施形態に係る広告報知システムの動作フローチャートである。
図４は、本発明の第３の実施形態に係る広告報知システムの動作フローチャートである。
図５は、バナー広告を用いた従来のインターネットによる広告報知システムの表示図である。
図６は、インターネットを用いないパソコン上で広告を行う従来の広告実行ブロック図である。
図７は、本発明の第５の実施形態に係る広告報知システムの動作フローチャートである。
図８は、本発明の第６の実施形態に係る広告報知システムの動作フローチャートである。
図９は、本発明の第７の実施形態に係る情報報知システムの全体概略構成図である。
図１０は、本発明の第７の実施形態に係る情報報知システムの動作フローチャートである。
図１１は、本発明のパケットスケジューリングによる制御を示すフローチャートである。
【図１】
0004355465.tif 000002
【図２】
0004355465.tif 000003
【図３】
0004355465.tif 000004
【図４】
0004355465.tif 000005
【図５】
0004355465.tif 000006
【図６】
0004355465.tif 000007
【図７】
0004355465.tif 000008
【図８】
0004355465.tif 000009
【図９】
0004355465.tif 000010
【図１０】
0004355465.tif 000011
【図１１】
0004355465.tif 000012